(57)【要約】【課題】  コストを削減しつつ、収納される物品を破損することのない収納箱を提供する。【解決手段】  少なくとも１つの開放面を有し、第１の物品と前記第１の物品とはサイズが異なる第２の物品とを収納可能な中箱と、前記中箱を複数収納可能な外箱と、前記外箱に収納された複数の前記中箱の移動を規制する規制部材と、を備え、前記中箱には、前記開放面と交差する面の一部が前記開放面から突出する突出部が形成され、前記規制部材には、開口部が形成され、前記規制部材は、複数の前記中箱を前記外箱に収納した後、前記中箱の前記突出部が前記開口部に挿入されるように、前記外箱に収納され、前記規制部材が前記外箱に収納されることで、前記中箱の前記第１の物品が収納される第１の収納空間は閉鎖され、前記中箱の前記第２の物品が収納される第２の収納空間は前記開口部から前記第２の物品を収納可能な状態になる。【選択図】  図１
2015020798.tif 000002
【特許請求の範囲】
【請求項１】
少なくとも１つの開放面を有し、第１の物品と前記第１の物品とはサイズが異なる第２の物品とを収納可能な中箱と、
前記中箱を複数収納可能な外箱と、
前記外箱に収納された複数の前記中箱の移動を規制する規制部材と、を備え、
前記中箱には、前記開放面と交差する面の一部が前記開放面から突出する突出部が形成され、
前記規制部材には、開口部が形成され、
前記規制部材は、複数の前記中箱を前記外箱に収納した後、前記中箱の前記突出部が前記開口部に挿入されるように、前記外箱に収納され、
前記規制部材が前記外箱に収納されることで、前記中箱の前記第１の物品が収納される第１の収納空間は閉鎖され、前記中箱の前記第２の物品が収納される第２の収納空間は前記開口部から前記第２の物品を収納可能な状態になることを特徴とする収納箱。
【請求項２】
前記中箱の前記突出部が形成される側に前記第２の収納空間を設けることを特徴とする請求項１に記載の収納箱。
【請求項３】
前記規制部材には折り曲げて形成される側面部を有し、
前記第２の収納空間に前記第２の物品を収納したときに、前記側面部の高さ寸法が前記第２の物品が前記規制部材から突出する寸法より大きくなるように、前記側面部を形成することを特徴とする請求項１または２に記載の収納箱。
【発明の詳細な説明】
【技術分野】
【０００１】
本発明は、サイズが異なる複数種の物品を収納する収納箱に関するものである。
【背景技術】
【０００２】
物品を収納する収納箱においては、コートボール紙や段ボールを用いて形成したものが広く普及している。また、複数の物品をまとめて収納する収納箱の場合、物品同士の衝突による障害を緩和するため、内部に仕切や緩衝材を配置して、物品の移動を規制している（特許文献１参照）。
【０００３】
また、形状の異なる複数の物品を一緒に収納することも知られている（特許文献２参照）。
【先行技術文献】
【特許文献】
【０００４】
【特許文献１】特開平９−２７２５４２号公報
【特許文献２】実開昭５９−２２７８１号公報
【発明の概要】
【発明が解決しようとする課題】
【０００５】
フォトプリンタ装置の消耗品は、印刷用紙とインクカセットとをセット販売している。現状では図６に図示するように、防塵袋で包装された２つのインクカセット５２と、６つの防塵袋で包装されたペーパーパック５３とを化粧箱５１に収納し、化粧箱５１を接着剤やホットメルト等の方法を用いて封止している。これを集合箱５４に１０セット収納して、出荷している。販売店では、一般的に化粧箱５１単位で販売されている。
【０００６】
写真スタジオなど多量の消耗品を消費する業務ユーザーは、一度に大量の消耗品を購入するので、化粧箱５１を省略し、より安価で販売して欲しいとの要望がある。
【０００７】
しかし、単純に化粧箱５１を廃止し、大量のペーパーパックと大量のインクカセットを集合箱に箱詰めしただけでは、輸送時の振動や衝撃に耐えられない。ペーパーパックとインクカセットとでは、サイズも重量も互いに異なるため、大量のペーパーパックと大量のインクカセットを収納する特別な収納箱を製造しなければならない。特別な収納箱を製造すると、化粧箱を使用する場合よりコストが上昇するという問題がある。
【０００８】
本発明の目的は、サイズが異なる複数種の物品を大量に収納する場合であっても、コストを削減しつつ、収納される物品を破損することのない収納箱を提供することにある。
【課題を解決するための手段】
【０００９】
上記目的を達成するために、本発明の収納箱は、少なくとも１つの開放面を有し、第１の物品と前記第１の物品とはサイズが異なる第２の物品とを収納可能な中箱と、前記中箱を複数収納可能な外箱と、前記外箱に収納された複数の前記中箱の移動を規制する規制部材と、を備え、前記中箱には、前記開放面と交差する面の一部が前記開放面から突出する突出部が形成され、前記規制部材には、開口部が形成され、前記規制部材は、複数の前記中箱を前記外箱に収納した後、前記中箱の前記突出部が前記開口部に挿入されるように、前記外箱に収納され、前記規制部材が前記外箱に収納されることで、前記中箱の前記第１の物品が収納される第１の収納空間は閉鎖され、前記中箱の前記第２の物品が収納される第２の収納空間は前記開口部から前記第２の物品を収納可能な状態になることを特徴とする。
【発明の効果】
【００１０】
本発明によれば、サイズが異なる複数種の物品を大量に収納する場合であっても、コストを削減しつつ、収納される物品を破損することのない収納箱を提供することができる。
【図面の簡単な説明】
【００１１】
【図１】本発明を実施した収納箱にインクカセット１３とペーパーパック１４を収納する様子を説明する斜視図である。
【図２】中箱１を説明する図である。
【図３】規制部材１２の展開図である。
【図４】外箱１１の組み立て方を説明する図である。
【図５】本発明を実施した収納箱にインクカセット１３とペーパーパック１４を収納する様子を説明する断面図である。
【図６】従来の収納箱を説明する図である。
【発明を実施するための形態】
【００１２】
以下に、本発明の好ましい実施の形態を、添付の図面に基づいて詳細に説明する。
【実施例１】
【００１３】
本発明を実施した収納箱は、中箱１、外箱１１、規制部材１２から構成されている。図２は、中箱１を説明する図である。中箱１は紙厚０．５ｍｍ、重量４００ｇ／平米のコートボール紙で形成されている。図２（ａ）は、中箱１を天面から見た図であり、図２（ｂ）は、中箱１を底面から見た図である。図２（ａ）に図示するように、中箱１は、前面１ｂ、後面１ｃ、左面１ｄ、右面１ｅ、底面１ｆを有する。中箱１の天面は開放面１ａとなっている。すなわち、中箱１の天面は開放されている。中箱１の前面１ｂ、後面１ｃ、左面１ｄ、右面１ｅは、開放面１ａと交差する面となる。中箱１の前面１ｂには、開放面１ａから突出する突出部１ｇが形成されている。図２（ａ）に図示するように、中箱１の外形前後寸法をＬ１ｘ、外形左右寸法をＬ１ｙ、外形上下寸法をＬ１ｚとする。前面１ｂにて外形上下寸法をＬ１ｚから突出している部分が突出部１ｇとなる。突出部１ｇの右端は前面１ｂの右端から寸法Ｌ１１だけ内側となり、突出部１ｇの左端は前面１ｂの左端から寸法Ｌ１１だけ内側となる。突出部１ｇの両側の基端部には、それぞれ円弧形状１ｈが形成されている。突出部１ｇの両側の先端部にも、それぞれ円弧形状１ｊが形成されている。
【００１４】
中箱１には、インクカセット１３とペーパーパック１４が収納される。ペーパーパック１４はインクカセット１３サイズと重量が異なる物品である。インクカセット１３が第１の物品の一例であり、ペーパーパック１４が第２の物品の一例である。中箱１は第１の物品と第２の物品とを収納可能な中箱の一例である。ここで、中箱１のインクカセット１３が収納される空間を第１の収納空間と定義し、中箱１のペーパーパック１４が収納される空間を第２の収納空間と定義する。ペーパーパック１４が収納される空間を第２の収納空間は、中箱１の突出部１ｇが形成される側に設けられる。
【００１５】
図４は、外箱１１の組み立て方を説明する図である。まず、図４（ａ）に図示する外箱１１の底面側の内フラップ１１ａ、１１ｂを、図４（ｂ）に図示するように、内側に折り込む。そして、外箱１１の底面側の外フラップ１１ｃと１１ｄを、図４（ｃ）に図示するように、内側に折り込む。図４（ｃ）に図示する状態で、外フラップ１１ｃ、１１ｄにテープ１５を貼り付け、図４（ｄ）に図示する状態にする。内フラップ１１ａ、１１ｂおよび外フラップ１１ｃ、１１ｄを閉鎖した部分が外箱１１の底面となる。
【００１６】
図３は、規制部材１２の展開図である。規制部材１２は外箱１１に収納されることで、外箱１１に収納された複数の中箱の移動を規制する。図３において、右側が規制部材１２の前、左側が護板１２の後ろと定義する。規制部材１２は、ＡＢフルート材の段ボール紙で形成され、段ボール紙の目方向が前後方向となるように形成される。
【００１７】
図３に図示するように、規制部材１２には、側面部１２ｐ、１２ｑが形成される。側面部１２ｐ、１２ｑの前後方向の長さ寸法はＬ３ｘとなり、幅寸法はＬ３ｚとなる。側面部１２ｐ、１２ｑは図３中の二点鎖線で谷折りされる。したがって、側面部１２ｐ、１２ｑを折り曲げた後、側面部１２ｐ、１２ｑの高さ寸法は、側面部１２ｐ、１２ｑの幅寸法Ｌ３ｚとほぼ等しくなる。
【００１８】
図３に図示するように、側面部１２ｐ、１２ｑの間の領域には、閉鎖部１２ａ、１２ｂ、１２ｃ、１２ｄ、１２ｅと、切欠き部１２ｆと、開口部１２ｇ、１２ｈ、１２ｊ、１２ｋとが形成される。側面部１２ｐ、１２ｑの間の領域の幅寸法はＬ３ｙとなる。切欠き部１２ｆの縁部には、凹形状部１２ａｘ、１２ａｙが形成される。開口部１２ｇの縁部には、凹形状部１２ａｘ、１２ａｙが形成される。開口部１２ｈの縁部には、凹形状部１２ｂｘ、１２ｂｙが形成される。開口部１２ｈの縁部には、凹形状部１２ｃｘ、１２ｃｙが形成される。開口部１２ｊの縁部には、凹形状部１２ｄｘ、１２ｄｙが形成される。開口部１２ｋの縁部には、凹形状部１２ｅｘ、１２ｅｙが形成される。
【００１９】
図１は、本発明を実施した収納箱にインクカセット１３とペーパーパック１４を収納する様子を説明する斜視図である。
【００２０】
図１（ａ）は、図４で説明したように組み立てた外箱１１に、図２で説明した中箱１を１０個用意し、中箱１〜１０を２行５列に並べて収納し、中箱１〜１０にそれぞれインクカセット１３を２個ずつ収納する様子を示している。インクカセット１３は、中箱１〜１０の第１の収納空間にそれぞれ収納される。
【００２１】
図１において、前後方向、左右方向、上下方向は、図１（ｄ）に図示するように定義される。すなわち、中箱１の前面１ｂが図１（ｄ）に図示する前方向となるように、中箱１は外箱１１に収納される。
【００２２】
図１（ａ）に図示するように、中箱１の外形前後寸法をＬ１ｘ、外形左右寸法をＬ１ｙ、外形上下寸法をＬ１ｚとする。外箱１１の内形前後寸法をＬ２ｘ、内形左右寸法をＬ２ｙ、内形上下寸法をＬ２ｚとする。
【００２３】
ここで、外箱１１の内形前後寸法Ｌ２ｘは中箱１の外形前後寸法Ｌ１ｘの整数（Ｎｘ）倍に余裕量ＬΔｘを加えたものとなるので、以下の式で表わされる。
Ｌ２ｘ  ＝  Ｌ１ｘ  ＊  Ｎｘ（整数）  ＋  ＬΔｘ
【００２４】
また、外箱１１の内形左右寸法Ｌ２ｙも中箱１の外形左右寸法Ｌ１ｙの整数（Ｎｙ）倍に余裕量ＬΔｙを加えたものとなるので、以下の式で表わされる。
Ｌ２ｙ  ＝  Ｌ１ｙ  ＊  Ｎｙ（整数）  ＋  ＬΔｙ
【００２５】
したがって、外箱１１は、中箱を複数収納可能に形成されている。
【００２６】
図１（ｂ）は、中箱１〜１０にそれぞれインクカセット１３を２個ずつ収納した後、規制部材１２を外箱１１に収納し、中箱１〜１０にそれぞれペーパーパック１４を収納する様子を示している。規制部材１２を外箱１１に収納することで、閉鎖部１２ａ、１２ｂ、１２ｃ、１２ｄ、１２ｅが、中箱１〜１０の第１の収納空間を閉鎖する。規制部材１２を外箱１１に収納すると、中箱１〜１０の前面にそれぞれ形成される突出部が規制部材１２の切欠き部１２ｆおよび開口部１２ｇ、１２ｈ、１２ｊ、１２ｋから突出する。
【００２７】
規制部材１２に切欠き部１２ｆおよび開口部１２ｇ、１２ｈ、１２ｊ、１２ｋが形成されているので、規制部材１２を外箱１１に収納した後でも、中箱１〜１０の第２の収納空間にそれぞれペーパーパック１４を収納することができる。すなわち、規制部材１２の切欠き部１２ｆから中箱１、６の第２の収納空間にペーパーパック１４をそれぞれ収納することができる。規制部材１２の開口部１２ｇから中箱２、７の第２の収納空間にペーパーパック１４をそれぞれ収納することができる。規制部材１２の開口部１２ｈから中箱３、８の第２の収納空間にペーパーパック１４をそれぞれ収納することができる。規制部材１２の開口部１２ｊから中箱４、９の第２の収納空間にペーパーパック１４をそれぞれ収納することができる。規制部材１２の開口部１２ｋから中箱５、１０の第２の収納空間にペーパーパック１４をそれぞれ収納することができる。このとき、規制部材１２の切欠き部１２ｆおよび開口部１２ｇ、１２ｈ、１２ｊ、１２ｋから突出する中箱１〜１０の突出部は、ペーパーパック１４を収納する際のガイドになる。また、中箱１〜１０の第１の収納空間に収納したインクカセット１３が中箱１〜１０の第２の収納空間に倒れてこないように、凹形状部１２ａｘ〜１２ｅｘ、１２ａｙ〜１２ｅｙから指で収納したインクカセット１３を押さえることができる。
【００２８】
図１（ｃ）は、中箱１〜１０にそれぞれペーパーパック１４を収納し終えた状態を示している。図１（ｃ）に図示するように、中箱１〜１０の第２の収納空間に収納されたペーパーパック１４はその一部が規制部材１２の切欠き部１２ｆおよび開口部１２ｇ、１２ｈ、１２ｊ、１２ｋから突出する。しかし、規制部材１２の側面部１２ｐ、１２ｑの高さ寸法がペーパーパック１４の突出する寸法より大きくなるように、側面部１２ｐ、１２ｑを形成しているので、ペーパーパック１４の突出している部分も保護される。
【００２９】
図１（ｄ）に図示するように、外箱１１の天面側の内フラップ１１ｅ、１１ｆを内側に折り込み、天面側の外フラップ１１ｇ、１１ｈを内側に折り込む。そして、折り込んだ外フラップ１１ｇ、１１ｈにテープ１５を貼って、外箱１１を封止する。
【００３０】
図５は、本発明を実施した収納箱にインクカセット１３とペーパーパック１４を収納する様子を説明する断面図である。
【００３１】
図５（ａ）は、外箱１１に、中箱１〜１０を２行５列に並べて収納した様子を説明する断面図である。図５（ａ）に図示するように、中箱１〜１０の突出部が箱１１の前側となるように、中箱１〜１０は箱１１に収納される。
【００３２】
図５（ｂ）は、中箱１〜１０の第１の収納空間にそれぞれインクカセット１３を２個ずつ収納し、規制部材１２を外箱１１に収納した様子を説明する断面図である。図５（ｂ）に図示するように、中箱１〜１０の第１の収納空間の前後方向の寸法はＬ３１に設定され、この寸法は、インクカセット１３の大きさに基づいて設定される。図５（ｂ）に図示するように、閉鎖部１２ａ、１２ｂ、１２ｃ、１２ｄ、１２ｅが、中箱１〜１０の第１の収納空間を閉鎖する。規制部材１２が外箱１１に収納されることで、中箱１〜１０の第１の収納空間は閉鎖される。また、規制部材１２が外箱１１に収納されることで、中箱１〜１０の第２の収納空間は規制部材１２の切欠き部または開口部からペーパーパック１４を収納可能な状態になる。
【００３３】
このとき、中箱１〜１０の第１の収納空間に収納したインクカセット１３が中箱１〜１０の第２の収納空間に倒れてこないように、凹形状部１２ａｘ〜１２ｅｘ、１２ａｙ〜１２ｅｙから指で収納したインクカセット１３を押さえることができる。また、外箱１１の前側を持ち上げると、インクカセット１３は重力によって中箱１〜１０の第２の収納空間に倒れてこない。
【００３４】
図５（ｃ）は、中箱１〜１０の第２の収納空間にそれぞれペーパーパック１４を収納するようすを説明する断面図である。図５（ｃ）に図示するように、中箱１〜１０の第２の収納空間の前後方向の寸法はＬ３２に設定され、この寸法は、ペーパーパック１４の大きさに基づいて設定される。図５（ｃ）に図示するように、規制部材１２の切欠き部１２ｆから中箱１、６の第２の収納空間にペーパーパック１４をそれぞれ収納することができる。同じように、規制部材１２の開口部１２ｇから中箱２、７の第２の収納空間にペーパーパック１４をそれぞれ収納することができる。このとき、中箱１〜１０の突出部が規制部材１２の切欠き部１２ｆおよび開口部１２ｇ、１２ｈ、１２ｊ、１２ｋからそれぞれ突出している。したがって、図５（ｃ）に図示するように、中箱２の第２の収納空間にペーパーパック１４を収納する際には、ペーパーパック１４の先端を中箱２の突出部２ｇに当接させ、突出部２ｇに沿わせて開口部１２ｇにペーパーパック１４を挿入する。これによって、中箱１〜１０の第２の収納空間にそれぞれペーパーパック１４をスムーズに収納することができ、箱詰め作業の効率が高くなる。
【００３５】
このように、中箱１〜１０の第２の収納空間にそれぞれペーパーパック１４を収納した後、図５（ｄ）に図示するように、外箱１１の天面側の内フラップ１１ｅ、１１ｆおよびフラップ１１ｇ、１１ｈが封止される。
【００３６】
本発明を実施した収納箱は、図５（ｄ）の状態で輸送される。中箱１〜１０には、インクカセット１３とペーパーパック１４とがそれぞれ収納されるが、ペーパーパック１４は規制部材１２の切欠き部または開口部に保持される状態となるため、中箱の中でペーパーパック１４が暴れることはない。したがって、収納箱の輸送時に、中箱の中でペーパーパック１４が暴れて、インクカセット１３を破損させてしまうという不具合を少なくすることができる。
【００３７】
また、中箱１〜１０の突出部が規制部材１２の切欠き部または開口部に挿入されるので、外箱１１内での中箱１〜１０の位置は規制部材１２に規制されている。これによって、外箱１１の姿勢に関わらず中箱１〜１０の位置は規制部材１２に規制される。例えば、図５（ｄ）の状態で外箱１１の後ろ側となる面が底面となるように、外箱１１を立てた状態を想定する。このとき、外箱１１内での中箱１〜１０の位置が規制されていないと、最も下側になる中箱５、１０に中箱１〜４、６〜９の重みがかかってしまい、中箱５、１０に収納されるインクカセット１３を破損させるおそれがある。本実施例では、このような事態に対応するために、規制部材１２が外箱１１内での中箱１〜１０の位置を規制している。本実施例では、外箱１１を立てた状態としても、中箱１〜４、６〜９の重みの一部は規制部材１２によって支えら、中箱５、１０に中箱１〜４、６〜９の重みが集中することはない。
【００３８】
本実施例の中箱は、化粧箱のような印刷を必要としないので、化粧箱より安価に作成することができる。また、インクカセットおよびペーパーパックを化粧箱に箱詰めし、それをさらに集合箱に箱詰めする場合と比較して、箱詰めの作業効率を大幅に削減することができる。
【符号の説明】
【００３９】
１〜１０  中箱
１１  外箱
１２  規制部材
１３  インクカセット
１４  ペーパーパック
【図１】
2015020798.tif 000003
【図２】
2015020798.tif 000004
【図３】
2015020798.tif 000005
【図４】
2015020798.tif 000006
【図５】
2015020798.tif 000007
【図６】
2015020798.tif 000008